(57)【要約】【課題】【解決手段】本発明は、注射装置からの注射可能な製剤の投薬量の投与を準備する方法、及び多数の係止本体を有する歯付きラック１により注射装置から注射可能な製剤の投薬量を投与する投薬装置に関し、これにより歯付きラック１の長手方向軸線に沿った隣接する係止本体は、少なくとも２つの係止要素２ａ、２ｂ；３ａ、３ｂにより互いに第一の距離Ａ１の間隔を有する。係止要素２ａ、２ｂ；３ａ、３ｂは、歯付きラック１の長手方向軸線に沿って互いに第二の距離Ａ２の間隔を有する。歯付きラック１の係止本体間の第一の距離Ａ１は、係止要素２ａ、２ｂ；２ａ、３ｂ間の第二の距離Ａ２と同一ではない。
2008529688.tif 000002
【特許請求の範囲】
【請求項１】
複数の係止部材を有する歯付きラック（１）であって、前記係止部材は互いに第一の距離（Ａ１）の間隔にて歯付きラック（１）の長手方向軸線に沿って配設される前記歯付きラック（１）と、
少なくとも２つの係止要素（２ａ、２ｂ；３ａ、３ｂ）であって、互いに第二の距離（Ａ２）の間隔にて歯付きラック（１）の長手方向軸線に沿って配設される、前記少なくとも２つの係止要素（２ａ、２ｂ；３ａ、３ｂ）とを備える、注射装置から注射可能な製剤の設定された投薬量を投与する投薬量設定機構において、
歯付きラック（１）の係止部材間の第一の距離（Ａ１）は、係止要素（２ａ、２ｂ；３ａ、３ｂ）間の第二の距離（Ａ２）と同一ではないことを特徴とする、投薬量設定機構。
【請求項２】
請求項１に記載の投薬量設定機構において、歯付きラック（１）の係止部材間の第一の距離（Ａ１）は、係止要素（２ａ、２ｂ；３ａ、３ｂ）間の第二の距離（Ａ２）よりも短い、投薬量設定機構。
【請求項３】
請求項１に記載の投薬量設定機構において、歯付きラック（１）の係止部材間の第一の距離（Ａ１）は、係止要素（２ａ、２ｂ；３ａ、３ｂ）間の第二の距離（Ａ２）よりも長い、投薬量設定機構。
【請求項４】
請求項１ないし３の何れか１つの項に記載の投薬量設定機構において、係止要素（２ａ、２ｂ；３ａ、３ｃ）は、歯付きラック（１）の長手方向に向けて互いに対するそれらの位置の点にて一定の比に配設される、投薬量設定機構。
【請求項５】
請求項１ないし４の何れか１つの項に記載の投薬量設定機構において、係止要素（２ａ、２ｂ；３ａ、３ｃ）は、歯付きラック（１）の周方向に向けて同一の位置に配設され且つ（又は）互いに変位され、特に、互いに対向する位置に配設される、投薬量設定機構。
【請求項６】
請求項１ないし５の何れか１つの項に記載の投薬量設定機構において、係止要素（２ａ、２ｂ；３ａ、３ｂ）は、歯付きラック（１）の周方向に向けて互いに変位した状態に配設され且つ、歯付きラック（１）の長手方向に向けて同一の位置に配設される、投薬量設定機構。
【請求項７】
請求項１ないし６の何れか１つの項に記載の投薬量設定機構において、係止要素（２ａ、２ｂ；３ａ、３ｂ）は、歯付きラック（１）の周方向に向けて同一の位置にて配設され且つ、歯付きラック（１）の長手方向に向けて互いに変位した状態に配設される、投薬量設定機構。
【請求項８】
請求項１ないし７の何れか１つの項に記載の投薬量設定機構において、係止要素（２ａ、２ｂ；３ａ、３ｂ）は、歯付きラック（１）の長手方向に向けて互いに一定の距離に配設される、投薬量設定機構。
【請求項９】
請求項１ないし８の何れか１つの項に記載の投薬量設定機構において、２つ、３つ、４つ、５つ、６つ、７つ、８つ又はより多くの係止要素（２ａ、２ｂ；３ａ、３ｂ）が設けられる、投薬量設定機構。
【請求項１０】
請求項１ないし９の何れか１つの項に記載の投薬量設定機構において、係止要素（２ａ、２ｂ；３ａ、３ｂ）は、歯付きラック（１）の長手方向に向けて互いにそれぞれ一定の距離に配設され、第二、第三、第四、第五、第六の係止要素（２ａ、２ｂ；３ａ、３ｂ）の各々の接触側部は、歯付きラック（１）の長手方向に向けて係止部材の協働する止め部に対向して位置し、その他の係止要素（２ａ、２ｂ；３ａ、３ｂ）は、それらの接触側部が歯付きラック（１）の係止部材の協働する止め部に対向して位置する状態に位置しない、投薬量設定機構。
【請求項１１】
請求項１ないし１０の何れか１つの項に記載の投薬量設定機構において、ｎ番目の係止要素（２ａ、２ｂ；３ａ、３ｂ）の各々は、その接触側部が歯付きラック（１）の係止要素の協働する止め部に対向して位置する状態に位置し、その他の係止要素（２ａ、２ｂ；３ａ、３ｂ）は、それらの接触側部が歯付きラック（１）の係止部材の協働する止め部に対向して位置する状態に位置せず、歯付きラック（１）の係止部材間の第一の距離（Ａ１）は、係止要素（２ａ、２ｂ；３ａ、３ｂ）間の第二の距離（Ａ２）よりも短く、係止要素（２ａ、２ｂ；３ａ、３ｂ）間のそれぞれの距離（Ａ２）は、次式に基づいて歯付きラック（１）の係止部材間の第一の距離（Ａ１）の関数として計算することができ、
Ａ２＝｛（ｎ・ｋ＋１）／ｎ｝Ａ１
ここで、ｋ及びｎは自然数の任意のものから選ぶことができる、投薬量設定機構。
【請求項１２】
請求項１ないし１１の何れか１つの項に記載の投薬量設定機構において、ｎ番目の係止要素（２ａ、２ｂ；３ａ、３ｂ）の各々は、その接触側部が歯付きラック（１）の係止要素の協働する止め部に対向して位置する状態に位置し、その他の係止要素（２ａ、２ｂ；３ａ、３ｂ）は、それらの接触側部が歯付きラック（１）の係止部材の協働する止め部に対向して位置する状態に位置せず、歯付きラック（１）の係止部材間の第一の距離（Ａ１）は、係止要素（２ａ、２ｂ；３ａ、３ｂ）間の第二の距離（Ａ２）よりも長く、係止要素（２ａ、２ｂ；３ａ、３ｂ）間のそれぞれの距離（Ａ２）は、次式に基づいて歯付きラック（１）の係止部材間の第一の距離（Ａ１）の関数として計算することができ、
Ａ２＝｛（ｎ・ｋ−１）／ｎ｝Ａ１
ここで、ｋ及びｎは自然数の任意のものから選ぶことができる、投薬量設定機構。
【請求項１３】
請求項１ないし１２の何れか１つの項に記載の投薬量設定機構において、係止要素（２ａ、２ｂ；３ａ、３ｂ）は、１つの垂直な接触側部と、１つの斜めの摺動側部とを有する非弾性的な鋸歯カムの形態にて設けられる、投薬量設定機構。
【請求項１４】
請求項１ないし１３の何れか１つの項に記載の投薬量設定機構において、係止要素（２ａ、２ｂ；３ａ、３ｂ）は、歯付きラック（１）に対して半径方向に動かすことができる、投薬量設定機構。
【請求項１５】
請求項１ないし１４の何れか１つの項に記載の投薬量設定機構において、係止要素（２ａ、２ｂ；３ａ、３ｂ）は、歯付きラック（１）に対して動かすことができる駆動スリーブ（２）上に及び（又は）案内片（３）上に設けられ、案内片上に設けられる場合、歯付きラック（１）は案内片（３）に対して動かすことができる、投薬量設定機構。
【請求項１６】
請求項１ないし１５の何れか１つの項に記載の投薬量設定機構において、歯付きラック（１）の係止部材は、歯付きラックの全長を渡って一定の距離にて隔てられ且つ、歯付きラック（１）の長手方向軸線に沿って配設される、投薬量設定機構。
【請求項１７】
請求項１ないし１６の何れか１つの項に記載の投薬量設定機構において、歯付きラック（１）の係止部材は、歯付きラック（１）の長手方向軸線に沿って第一の部分にて互いに一定の距離にそれぞれ配設され且つ、歯付きラック（１）の長手方向軸線に沿って隣接する第二の部分にて互いに第二の一定の距離にて隔てられ、第一の部分における係止部材間の第一の距離及び第二の部分における係止部材間の第二の距離は相違する、投薬量設定機構。
【請求項１８】
注射装置からの注射可能な製剤の設定された投薬量の投与を準備する方法において、設定手段すなわちノブを注射可能な製剤が分与される方向に対して反対の方向に向けて動かすことにより、注射装置の第一のプライミングする動きが実行され、設定手段又はノブの動きによって駆動スリーブ（２）は、注射可能な製剤が分与される方向に対して反対の方向に向けて歯付きラック（１）に対して動かされ、また、案内片（３）の少なくとも１つの係止要素（３ａ、３ｂ）の接触側部は、歯付きラック（１）の係止部材の協働する止め部に対向して位置するから、歯付きラック（１）は静止したままであり、案内片（３０）の少なくとも１つの係止要素（３ａ、３ｂ）の接触側部は、歯付きラック（１）の係止部材の協働する止め部に対向して位置せず、プライミングする動きが終了したとき、駆動スリーブ（２）の少なくとも１つの係止要素（２ａ、２ｂ）の少なくとも１つの接触側部は、歯付きラック（１）の係止部材の協働する止め部に対向して位置し、設定要素すなわちノブが注射可能な製剤が分与される方向に向けて動くことのため、駆動スリーブ（２）は、歯付きラック（１）を分与方向に向けて案内片（３）に対して動かし、駆動スリーブ（２）の少なくとも１つの係止要素（２ａ、２ｂ）の接触側部は、歯付きラック（１）の係止部材の協働する止め部に対向して位置せず、歯付きラック（１）の動きのため、第一の投薬量が分与され、歯付きラック（１）と案内片（３）との間の相対的な動きの後、案内片（３）の少なくとも１つの係止要素（３ａ、３ｂ）の接触側部は、歯付きラック（１）の係止部材の協働する止め部に対向して位置し、案内片（３）の少なくとも１つの係止要素（３ａ、３ｂ）の接触側部は、歯付きラック（１）の係止部材の協働する止め部に対向して位置しない、注射装置からの注射可能な製剤の設定された投薬量の投与を準備する方法。
【請求項１９】
請求項１８に記載の注射装置からの注射可能な製剤の設定された投薬分の投与を準備する方法において、当初の位置において、駆動スリーブ（２）のｎ番目の係止要素（２ａ、２ｂ）の各々は、その接触側部が歯付きラック（１）の係止部材の協働する止め部に対向して位置する状態に位置し、駆動スリーブ（２）の其の他の係止要素（２ａ、２ｂ）は、それらの接触側部が歯付きラック（１）の係止部材の協働する止め部に対向して位置する状態に位置せず、注射可能な製剤が分与される方向に対して反対の方向に向けて注射をプライミングした後、駆動スリーブ（２）の（ｎ＋１）番目の係止要素（２ａ、２ｂ）の各々は、その接触側部が歯付きラック（１）の係止部材の協働する止め部に対向して位置する状態に位置し、駆動スリーブ（２）のその他の係止要素（２ａ、２ｂ）は、それらの接触側部が歯付きラック（１）の係止部材の協働する止め部に対向して位置する状態に位置しない、注射装置からの注射可能な製剤の設定された投薬分の投与を準備する方法。
【請求項２０】
請求項１８又は１９に記載の注射装置からの注射可能な製剤の設定された投薬分の投与を準備する方法において、注射装置のプライミングする動きの後、案内片（３）のｎ番目の係止要素（３ａ、３ｂ）の各々は、その接触側部が歯付きラック（１）の係止部材の協働する止め部に対向して位置する状態に位置し、案内片のその他の係止要素（３ａ、３ｂ）は、それらの接触側部が歯付きラック（１）の係止部材の協働する止め部に対向して位置する状態に位置せず、歯付きラック（１）は、分与する操作の間、案内片（３）に対して動かされ、分与操作の後、案内片（３）の（ｎ＋１）番目の係止要素（３ａ、３ｂ）の各々は、その接触側部が歯付きラック（１）の係止部材の協働する止め部に対向して位置する状態に位置し、案内片（３）のその他の係止要素（３ａ、３ｂ）は、それらの接触側部が歯付きラック（１）の係止部材の協働する止め部に対向して位置する状態に位置しない、注射装置からの注射可能な製剤の設定された投薬分の投与を準備する方法。
【請求項２１】
請求項１８ないし２０の何れか１つの項に記載の注射装置からの注射可能な製剤の設定された投薬量の投与を準備する方法において、プライミングする各動きの後、設定要素すなわちノブを注射可能な製剤が分与される方向に向けて動かすことにより、注射可能な製剤の一定の投薬量を分与することができる、注射装置からの注射可能な製剤の設定された投薬量の投与を準備する方法。
【発明の詳細な説明】
【技術分野】
【０００１】
本発明は、注射可能な製剤の設定された投薬量を投与する投薬量設定機構、特に、医療分野にて使用され、複数の係止部材と、係止要素とを有する歯付きラックを備え、通常、係止要素の間の距離が短い歯付きラックを必要とする注射可能な製剤の精密な投薬量をこの投薬量設定機構によって設定することができる注射装置に関する。
【背景技術】
【０００２】
欧州特許明細書１  ２２８  ７７７号には、注射ユニットであって、該注射ユニットによって幾つかの注射分を投与することができ、歯付きラックの係止要素は、歯付きラックの長手方向に向けて対向して位置する側部にて互いに変位した状態に配設され、これにより注射可能な製剤の精密な投薬量を設定することを一層容易にする、上記の注射ユニットが記載されている。
【発明の開示】
【発明が解決しようとする課題】
【０００３】
本発明の１つの目的は、注射装置から注射可能な製剤の設定された投薬量を投与する装置及び方法であって、注射可能な製剤のより少量の投薬量を設定し且つ投与することができる上記装置及び方法を提案することである。
【課題を解決するための手段】
【０００４】
注射装置から注射可能な製剤を投与するため本発明により提案された投薬量設定機構は、複数の係止部材、特に、鋸歯設計の歯又はカムを有する歯付きラックを備え、係止部材は、歯付きラックの長手方向軸線に沿って配設され且つ、係止部材毎に一定であり又は相違させることのできる互いからの距離にてそれぞれ配設される。本発明により提案された装置は、案内片及び（又は）駆動スリーブ又は注射装置の案内片又は駆動スリーブのスナッパ又は捕捉要素に配設することができ、また、注射装置の歯付きラックの長手方向軸線に沿って互いからの距離にて配設された少なくとも２つの係止要素を備え、２つ以上の係止要素が注射装置上に配設される状況において、係止要素間のそれぞれの距離は、歯付きラックの長手方向に向けて一定とし又は相違するものとすることができる。本発明の目的のため、第一の一定の距離は、歯付きラックの係止部材間である、すなわち第一の距離は、歯付きラックの係止部材間の距離であり、係止部材間のそれぞれの距離は、係止要素間の第二の一定の距離又は係止要素間の第二の距離と等しくなく、相違するものとし、また、係止要素間のそれぞれの距離は相違するものとすることができる。
【０００５】
特に、第一の距離、すなわち歯付きラックの係止部材間のそれぞれの第一の距離は、第二の距離、すなわち係止要素間のそれぞれの距離よりも短く又は長くすることができ、この場合、距離は、歯付きラック又は注射装置の長手方向に向けた距離を基準として選ばれることが好ましい。
【０００６】
係止要素又はその上に係止要素を配設することのできる捕捉要素は、歯付きラックの周方向に向けて同一の位置に配設され、また、第二の一定の距離又は一定でない第二の距離だけ歯付きラックの長手方向に向けて変位させ又は互いに分離させ、係止要素は、例えば、歯付きラックの係止部材内に係合することができる歯付きラックの一側部にのみ設けることができるようにすることが好ましい。係止要素は、互いに変位した位置に配設するか又は歯付きラックの周方向に向けて互いに隔てることができる。この場合、係止要素は、互いに対向する位置に位置し、係止要素は、歯付きラックの長手方向に向けて同一の位置及び（又は）互いに変位した位置に配設され、係止要素が例えば、互いに対向する位置にあり、また、長手方向に向けて同一の位置に配設され又は周方向及び長手方向に向けて互いに変位されるようにすることができる。
【０００７】
特に、２つ、３つ、４つ、５つ、６つ、７つ、８つ又は８つ以上の係止要素を注射装置に設けることができ、また、注射装置にて、好ましくは、周方向に向けて同一の位置且つ長手方向に向けて一方が他方の後になるよう偶数の係止要素が配設され、例えば、長手方向に向けて同一の位置にてこれら要素に対向する位置に配設された係止要素の数が同一であるようにすることが好ましい。
【０００８】
特に、歯付きラックの長手方向に向けた係止要素は、互いに一定の距離に配設することができ、この場合、係止要素のそれぞれ１つが歯付きラックの係止部材に掛け止めするとは限らず、それに代えて、例えば、歯付きラックの長手方向に向けた第二の係止要素の各々が歯付きラックの係止部材内に掛け止めする。この点に関して、本発明の意味にて使用される掛け止めするという用語は、係止要素がその接触側部が係止部材の協働する止め部に対向して位置する状態に位置することを意味する、換言すれば、係止要素又はカムの側部は、係止要素が歯付きラックの係止部材の間に位置する状態にて、歯付きラックに対して垂直に位置し、協働する止め部は、歯付きラックにて垂直に立つ係止部材の側部又は歯付きラックの歯を構成する。その他の係止要素は、歯付きラックの係止部材内に掛け止めせず、このため、接触側部は係止部材の協働する止め部に対向する状態に位置しない。１つの係止要素から次の係止要素まで一定とし且つ一定でないようにすることができる係止要素間の距離と比較して、歯付きラックの係止部材間の距離が相違するため、係止要素の接触側部の各々ではなくて、例えば、係止要素の第二、第三、第四、第五又は第六の接触側部の各々のみが係止部材の協働する止め部に対する位置にあり、残る係止要素又はその他の係止要素は、歯付きラックの係止部材と掛け止めしない、換言すれば、それらの接触側部が係止部材の協働する止め部に対向して位置する状態に位置しない。
【０００９】
例えば、ｎ番の係止要素の各々が歯付きラックの歯内に掛け止めするとき、換言すれば、ｎ番の係止要素の各々がその接触側部が歯付きラックの係止部材の協働する止め部に対向して位置する状態に位置するとき、その他のすなわち残りの係止要素は、歯付きラック内に掛け止めせず、また、その接触側部が歯付きラックの係止部材の協働する止め部に対向して位置する状態に位置しないとき、このために要求される係止要素間に必要とされるそれぞれの距離は、歯付きラックの係止部材間の距離の関数として計算することができる。
【００１０】
歯付きラックの係止部材間の第一の距離が係止要素間の第二の距離よりも短いとき、係止要素間のそれぞれの距離は、次のようにして歯付きラックの係止部材間の距離の関数として表わすことができる。
Ａ２＝Ａ１・｛（ｎ・ｋ＋１／ｎ）｝；ｋεＮnεN
この場合、自然数の任意のものから選ぶことができる、値ｋは、係止要素の互いの距離を計算する毎に変更することができ、また、ｋの値が一定であれば、連続する係止要素間の距離は一定であろう。自然数の任意のものから選ぶことができる値ｎは、歯付きラックに力を伝達し、又は歯付きラックを動かし又は歯付きラックの動きを阻止するため、多数の係止要素の何れかがその接触側部が歯付きラックの協働する止め部に対向して位置する状態に位置するかを決定すべく、使用される。ｋの値の範囲がｋεＮοまで拡大すると、このことは、ｋ＝０であれば、係止要素の間の距離が最小となり且つｎの値にのみ依存するであろう特殊な状況に対する余裕を持つことを可能にするであろう。
【００１１】
歯付きラックの係止部材間の第一の距離が係止要素間の第二の距離よりも長いとき、歯付きラックの係止部材間の距離の関数としての係止要素間の距離は、次のようになろう。
Ａ２＝Ａ１・｛（ｎ・ｋ−１／ｎ）｝；ｋεＮnεN
本発明により提案された注射装置の係止要素は、非弾性的であり且つ、鋸歯カム又は歯の形態にて提供されることが好ましい。カム又は歯は、具体的に、接触側部及び摺動側部を有する。この場合、接触側部とは、係止要素が歯付きラックの係止部材の間に配設されたとき、歯付きラックに対して垂直に立つカムの側部を意味する。この位置にあるとき、摺動側部とは、歯付きラックにて斜めに配設されたカム又は係止要素の側部を意味する。
【００１２】
特に、係止要素は、歯付きラックに対して半径方向に動かすことができ又は捕捉要素又はスナッパの形態にて提供することができ、該捕捉要素又はスナッパは、歯付きラックに対して半径方向に向けて動かすことができる。係止要素は、また駆動スリーブに設けることもでき、該駆動スリーブは、歯付きラックに対して動かすことができ、又は係止要素は、案内片に設けることができ、この場合、歯付きラックは、案内片に対して動かすことができる。係止要素を配設することができる駆動要素及び案内片は、例えば、歯付きラックに対して半径方向に向けて動かすことができる。
【００１３】
歯付きラックの係止部材は、歯付きラックの全長を渡って配設し且つ、例えば歯付きラックの長手方向軸線に沿って互いに一定の距離に配設することができ、又はこれらの係止部材は、互いに一定の距離にて断続的に配設することができ、この場合、歯付きラックの長手方向軸線に沿った第一の部分において係止部材は、互いに第一の一定の距離にてそれぞれ配設され、また、第一の部分に続き又は第一の部分に隣接し又は第一の部分の隣りの第二の部分において、係止部材は、互いに第二の一定の距離にそれぞれ配設することができ、この場合、第一の部分における係止部材間の第一の距離及び第二の部分における係止部材間の第二の距離は、相違するものとすることができる。また、互いに続く２つ以上の部分に対し係止部材間の距離は相違するものとし、又は、係止部材間の距離が相違する部分は、例えば、交番的とし又は周期的に交番的であるようにすることも可能であろう。
【００１４】
注射装置からの注射可能な製剤の設定された投薬量の投与を準備する方法に関して、注射装置の第一のプライミングする動きは、設定手段すなわちノブを注射可能な製剤が分与される方向に対して反対方向に動かすことにより実行され、設定手段すなわちノブの動きによって、駆動スリーブは、注射可能な製剤が分与される方向に対して反対方向に向けて歯付きラックに対して動かすことができる。案内片の少なくとも１つの係止要素の接触側部が歯付きラックの係止部材の協働する止め部に対向して位置することのため、案内片の少なくとも１つの係止要素は、歯付きラックの係止部材と掛け止めするから、歯付きラックは、案内片によって静止状態に保持される。従って、案内片の少なくとも１つの係止要素の接触側部は、歯付きラックの係止部材の協働する止め部に対向して位置しない、換言すれば、歯付きラックの歯と掛け止めしない。プライミングする動きが終了すると、駆動スリーブの少なくとも１つの係止要素の接触側部は、歯付きラックの係止部材の協働する止め部に対向して位置し、また、設定要素すなわちノブが注射可能な製剤の分与方向に向けて動くため、駆動スリーブは、分与方向に向けて動き、また、歯付きラックの係止部材の協働する止め部に対向して位置する１つ又は複数の接触側部を介して、歯付きラックの係止部材まで力が伝達され、歯付きラックが案内片に対して分与する方向に向けて動くようにする。この場合、駆動スリーブの少なくとも１つの係止要素の少なくとも１つの接触側部は、歯付きラックの係止部材の協働する止め部にて位置しない。次に、歯付きラックを動かすことにより、注射可能な製剤の第一の投薬量が分与され、歯付きラックと案内片との間の相対的な動きの後、案内片の少なくとも１つの係止要素の接触側部は、歯付きラックの係止部材の協働する止め部に対向して位置し、案内片の少なくとも１つの係止要素の接触側部は、歯付きラックの係止部材の協働する止め部に対向して位置しない。その後、新たなプライミング操作を行うことができ、その後、注射可能な製剤を分与する操作を行う。
【００１５】
本発明により提案された方法に特に関して、ｎ番の係止要素の各々は、その接触側部が歯付きラックの係止部材の協働する止め部に対する位置にあり、例えば、歯付きラックまで力を伝達し、歯付きラックを動かすか又は歯付きラックから力を吸収し、例えば、歯付きラックが動くのを阻止することができ、この場合、その他の又は残りの係止要素は、歯付きラックと掛け止めしない、換言すれば、その接触側部が歯付きラックの係止部材の協働する止め部に対向して位置しない。注射可能な製剤が分与される方向と反対方向に向けて注射装置をプライミングした後、また、駆動スリーブをプライミングと関係した歯付きラックに対して動かした後、駆動スリーブの（ｎ＋１）番目の係止要素の各々は、歯付きラックの係止部材の協働する止め部に対向して位置し、駆動スリーブのその他の係止要素は、それらの接触側部が歯付きラックの係止部材の協働する止め部上にある状態に位置する。
【００１６】
注射可能な製剤を分与する前、案内片のｎ番目の係止要素の各々は、その接触側部が、例えば、歯付きラックの係止部材の協働する止め部に対向して位置する状態に位置することができ、この場合、案内片のその他の係止要素は、それらの接触側部が歯付きラックの係止部材の協働する止め部上に位置する状態にて位置せず、また、歯付きラックを案内片に対して動かすことにより注射可能な製剤を分与した後、案内片の（ｎ＋１）番目の係止要素の各々は、歯付きラックの係止部材と掛け止めし、案内片のその他の又は残りの係止要素が歯付きラックの係止部材と掛け止めしないようにすることが好ましい。
【００１７】
特に、各プライミング操作の後、設定要素すなわちノブを注射可能な製剤の分与方向に向けて動かし、一定の量の注射可能な製剤が分与されるようにする。
好ましい実施の形態の例に関して本発明を以下に説明する。
【発明を実施するための最良の形態】
【００１８】
図１には、歯付きラック１と、歯付きラック１に対して変位可能な駆動スリーブ２と、案内片３とを備え、歯付きラック１を案内片３に対して動かすことができる、本発明の第一の実施の形態が示されている。２つの係止要素２ａ、２ｂ、３ａ、３ｂが駆動スリーブ２の対向して位置する２つのアーム上に配設され、また、案内片３の対向して位置する２つのアーム上にそれぞれ配設されている。係止要素２ａ、２ｂ、３ａ、３ｃ間の距離Ａ２は、歯付きラック１の係止部材間の距離Ａ１よりも長い。分与方向に向けた駆動スリーブ２の第二のすなわち後側係止要素２ｂの接触側部は、歯付きラック１の係止部材の協働する止め部に対向して位置し、このため、駆動スリーブ２が例えば、前方に動いたとき、後側係止要素２ｂによって分与方向に向け、力を歯付きラック１に伝達することができる。該後側係止要素は、その接触側部が例えば、歯付きラックの係止部材の協働する止め部に位置する状態に位置し、例えば、分与方向に向けて歯付きラック１を動かすことができる。この特別な実施の形態において、駆動スリーブ２、従って歯付きラック１は、駆動スリーブ２がその止め部が案内片３上にある状態に位置する迄、分与方向に向けて動かすことができる。注射可能な製剤の投薬量は、例えば、駆動スリーブ２を分与方向に対して反対方向に向けて動かすことにより、設定することができる一方、歯付きラックは、案内片３によって保持されているため、静止したままである。特に、歯付きラック１は、案内片３の前側係止要素３ａによって保持され、該前側係止要素は、その接触側部が歯付きラック１の係止部材の協働する止め部上に位置する状態に位置し、案内片３の後側係止要素３ｂは、その接触側部が歯付きラック１の協働する止め部に対する位置にある状態に位置する。本発明の実施の形態は、分与方向に対して反対方向に向けて駆動スリーブ２を動かすことにより、極めて精密な投薬量を設定することを可能にし、１つの係止部材により又は１回の押し操作により駆動スリーブ２が分与方向に対して反対方向に向けて更に遠方に動かされたとき、これによりプライミングする動きが実行され、その接触側部が歯付きラック１の係止部材の協働する止め部に対向して位置する状態に位置するのは、最早、駆動スリーブ２の後側係止要素２ｂではなくて、前側係止要素２ａであり、分与方向に向けて駆動スリーブ２から歯付きラック１まで力が伝達され、分与操作を実行する。
【００１９】
図２には、図１に示した注射装置からの異なる実施の形態が示されており、この場合、４つの係止要素２ａ、２ｂ、２ｃ、２ｄ、３ａ、３ｂ、３ｃ、３ｄが駆動スリーブ２のアームの各々及び案内片３に設けられ、案内片３及び駆動スリーブ２の第二の係止要素の各々が歯付きラック１の係止部材又は歯と係合し、案内片３及び駆動スリーブ２の第二の係止要素の各々は歯付きラック１と係合しない。従って、駆動スリーブ２の第二及び第四の係止要素２ｂ、２ｄは、それらの接触側部が係止部材の協働する止め部に対する位置にある状態に位置し、歯付きラック１に力を伝達するすなわち歯付きラック１を動かし、また、案内片３の第一３ａ及び第三の係止要素３ｃの各々は、その接触側部が歯付きラック１の係止部材の協働する止め部に対向して位置する状態に位置し、歯付きラック１からの力を吸収する、すなわち歯付きラック１が動くのを阻止するのを可能にする。図１に示した注射装置のように、図２に示した注射装置にて同一の投薬量を設定することができ、この場合、駆動スリーブ２及び案内スリーブ３のアーム上に４つの係止要素が存在するから、極めて強力な歯付きラック１を実現し、従って歯付きラック１の正確な動きを実現することができる。
【００２０】
図３ａには、図２に示した注射装置の全体図が示されている一方、図３ｂ、図３ｃには、この注射装置の２つの異なるモードが示されている。図３ａには、プライミングし且つ分与する操作の前の基本位置にある注射装置が示されている。この場合、駆動スリーブ２の第一２ａ及び第三の係止要素２ｃは、歯付きラック１の係止部材に対向して位置する、すなわち歯付きラックと掛け止めする。従って、注射装置をプライミングする動きは、ノブすなわち設定要素により、例えば、分与方向に対して反対方向に向けて動かすことにより実現することができ、駆動スリーブ２は、１つの係止部材又は１回の押し操作により分与方向に対して反対方向に向けて更に動かし、このとき、歯付きラック１は、静止状態に止まり、このため、駆動スリーブ２は、歯付きラック１に対する相対的な動きを実行するから、図３ｂに示したように、歯付きラック１の係止部材に対向して位置するのは、駆動スリーブ２の第二の係止要素２ｂ及び第四の係止要素２ｄである。駆動スリーブ２が分与方向に対し反対の方向に向けて動くと、第二の係止要素３ｂ及び第四の係止要素３ｄは、それらの接触側部が係止部材の協働する止め部に対する位置する状態に位置し、これにより歯付きラック１の全ての動きを阻止するから、歯付きラック１は、案内片３により、特に、図３ａに示すように、案内片３の第二の係止要素３ｂ及び第四の係止要素３ｄによって静止状態に保持される。注射装置がプライムされたとき、ノブすなわち設定要素、従って駆動スリーブ２を分与方向に向けて動かすことにより、駆動スリーブ２の第二の係止要素２ｂ及び第四の係止要素２ｄは、分与方向に向けて力を歯付きラック１まで伝達し、これにより歯付きラック１が分与方向に動き、これにより歯付きラック１が案内片３に対して動いたとき、注射可能な製剤を分与するから、注射可能な製剤を分与することができ、歯付きラック１が１つの係止部材又は１回の押し操作により、案内片３に対して分与方向に向けて動くと、案内片３の第一の係止要素３ａ及び第三の係止要素３ｃは、歯付きラック１の係止部材に対向して位置し、１回の押し操作によって動くから、特に、歯付きラック１は、係止部材間又は２つの係止要素間の距離よりも分与方向に向けて短い距離をカバーする結果、少量の投薬量が分与される。
【００２１】
図４には、図１に示した注射装置と相違して、歯付きラック１の係止部材間の距離が係止要素２ａ、２ｂ、３ｃ、３ａ、３ｂ、３ｃ間の距離よりも長い本発明の別の実施の形態が示されている。従って、案内片３及び駆動スリーブ２の第一の係止要素２ａ、３ａのみが、係止部材の協働する止め部又は歯付きラック１の歯上にそれぞれ位置する一方、その他の係止要素２ｂ、２ｃ、３ｂ、３ｃは、歯付きラック１に対して掛け止めされず、このため、例えば、歯付きラック１まで力を伝達することを可能にする、歯付きラック１に対するアクティブな接続部は有しない。駆動スリーブ２が、例えば、プライミング方向に向けて歯付きラック１に対して動き、歯付きラック１が案内片３の第一の係止要素３ａにより静止状態に保持されると、歯付きラック１とアクティブに接続されるのは、最早、駆動スリーブの第一の係止要素２ａではなく、駆動スリーブ２の第二の係止要素２ｂである。該第二の係止要素は、その接触側部が歯付きラック１の係止部材の協働する止め部に対向して位置する状態に位置し、歯付きラック１に対するアクティブな接続状態を確立する。このとき、駆動スリーブ２が、例えば、分与方向に向けて動くと、駆動スリーブ２の第二の歯２ｂは、歯付きラック１に力を伝達し、該歯付きラックを１回の押し操作又は１つの係止部材により案内片３に対して更に動かし、この動いた後、案内片３の第二の係止要素３ｂは、歯付きラック１の係止部材に対向して位置する。歯付きラック１が案内片３に対して動くから、液体のような注射可能な製剤を精密な投薬量にて分与することができる。
【００２２】
図５ａ、図５ｂ及び図５ｃには、ｎ＝２である状況、換言すれば、第二の係止要素の各々がその接触側部が歯付きラック１の係止要素のその協働する止め部に対向して位置する状態に位置し、この場合、係止要素間の距離は係止部材間の距離よりも長い、状況に対する歯付きラック１及び係止要素を示す概略図が図示されている。
【００２３】
図５ａにおいて、距離の各々を計算するため、係止要素間の距離が係止部材の間の距離の１２倍である、換言すれば、係止要素間の距離が係止部材間の距離の３／２倍であるように自由値ｋが１として選ばれる。自由パラメータｋが２として選ばれるならば、図５に示したものと同一のこの機能及び第二の係止要素の各々が係止部材に対向して位置するこの同一の特徴が実現され、この場合、図５ｂに示すように、係止要素間の距離は、歯付きラック１の係止部材間の距離の５／２倍である。この場合にも、係止部材間の距離の２分の１に相応する投薬量を実現することができる。図５ｃに示すように、係止要素間の距離は、一定である必要はなく、単に、等式Ａ２＝Ａ１・｛（ｎ・ｋ＋１）／ｎ｝に順応し、これと同一の機能を実現し、これにより、例えば、係止部材間の距離の２分の１に相応する設定状態となるようにすればよい。このため、図５ｃにおいて、ｋ＝３の値に基づく第一及び第二の係止要素間の距離は、歯付きラック１の係止部材間の距離の７／２倍である一方、第二及び第三の係止要素間の距離は、係止部材間の距離の３／２倍に相応し、また、第三及び第四の係止要素間の距離は、係止部材間の距離の５／２倍に相応し、第四及び第五の係止要素間の距離は、係止部材間の距離の３／２倍に相応し、また、これと同一の機能又は投薬量設定システムを実現するため、ｋに対して任意のその他の全数値を選ぶことも可能である。
【図面の簡単な説明】
【００２４】
【図１】案内片及び駆動スリーブの対向して位置するアーム上にそれぞれ２つの係止要素を有し、歯付きラックの係止部材間の距離は、係止要素間の距離よりも短い、本発明の第一の実施形態を示す図である。
【図２】案内片及び駆動スリーブの対向して位置する２つのアーム上にそれぞれ４つの係合要素を有する、図１に示した注射装置の図である。
【図３】３ａは、図２に示した注射装置を示す、全体図である。３ｂは、注射装置をプライミングする前で且つ注射可能な製剤を分与する前の図３ａの注射装置を示す図である。３ｃは、注射可能な製剤を分与した後の図３ａ及び図３ｂの注射装置を示す図である。
【図４】案内片及び駆動スリーブの対向して位置する２つのアーム上にそれぞれ３つの係合要素を有し、歯付きラックの係止部材間の距離は、係止要素間の距離よりも長い、本発明の第二の実施の形態を示す図である。
【図５】図５ａないし図５ｃは、ｎ＝２の状況において、係止要素間の距離が相違する、歯付きラック及び係止要素の概略図である。
【図１】
2008529688.tif 000003
【図２】
2008529688.tif 000004
【図３】
2008529688.tif 000005
【図４】
2008529688.tif 000006
【図５ａ】
2008529688.tif 000007
【図５ｂ】
2008529688.tif 000008
【図５ｃ】
2008529688.tif 000009
【国際調査報告】
2008529688.tif 000010
2008529688.tif 000011
2008529688.tif 000012
2008529688.tif 000013
2008529688.tif 000014
2008529688.tif 000015
2008529688.tif 000016
2008529688.tif 000017